(57)【要約】【課題】  照明装置の設置や交換の作業の難易度の上昇を抑制できるＬＥＤ照明装置を提供すること。【解決手段】  複数のＬＥＤチップ２２が搭載されたＬＥＤユニット２と、ＬＥＤユニット２を支持する支持体１と、電源部５と、３つの取付手段６Ａ，６Ｂ，６Ｃと、を備えており、３つの取付手段６Ａ，６Ｂ，６Ｃは、ｘ方向両側に離間して配置された第１取付手段６Ａおよび第２取付手段６Ｂと、ｘ方向において第１取付手段６Ａおよび第２取付手段６Ｂの間に配置された第３取付手段６Ｃと、を含み、支持体１は、取付対象部位に設けられた給電ケーブル８１を挿通させるとともに、ｘ方向において第１取付手段６Ａと第３取付手段６Ｃとの間に設けられた給電ケーブル導入部１３を有しており、電源部５は、ｘ方向において第１取付手段６Ａと給電ケーブル導入部１３との間に配置されている。【選択図】  図２
2017134906.tif 000002
【特許請求の範囲】
【請求項１】
複数のＬＥＤチップが搭載されており、第１方向に沿って延びる細長状のＬＥＤユニットと、
前記第１方向に対して直角である第２方向において前記ＬＥＤユニットを支持する支持体と、
前記複数のＬＥＤチップを点灯させる電力を供給する電源部と、
各々が、前記支持体に対して前記ＬＥＤユニットが前記第２方向において所定距離離間する離間状態、前記支持体に対して前記ＬＥＤユニットが前記第２方向において前記所定距離よりも近接する近接状態、および前記支持体から前記ＬＥＤユニットが離脱する離脱状態をとらせる、３つの取付手段と、を備えており、
前記３つの取付手段は、前記第１方向において離間して配置された第１取付手段および第２取付手段と、前記第１方向において前記第１取付手段および前記第２取付手段の間に配置された第３取付手段と、を含み、
前記支持体は、取付対象部位に設けられた給電ケーブルを前記第２方向に挿通可能にさせるとともに、前記第１方向において前記第１取付手段と前記第３取付手段との間に設けられた給電ケーブル導入部を有しており、
前記電源部は、前記第１方向において前記第１取付手段と前記給電ケーブル導入部との間に配置されていることを特徴とする、ＬＥＤ照明装置。
【請求項２】
前記取付手段は、前記近接状態および前記離間状態において互いに異なる姿勢をとる可動部と、前記近接状態および前記離間状態において前記可動部と係合し且つ前記離脱状態において前記可動部との係合状態が解除される固定部と、を有する、請求項１に記載のＬＥＤ照明装置。
【請求項３】
前記可動部は、前記支持体に取り付けられており、前記固定部は、前記ＬＥＤユニットに取り付けられている、請求項２に記載のＬＥＤ照明装置。
【請求項４】
前記可動部は、前記ＬＥＤユニットに取り付けられており、前記固定部は、前記支持体に取り付けられている、請求項２に記載のＬＥＤ照明装置。
【請求項５】
前記可動部は、前記第１方向および前記第２方向に対して直角である第３方向周りに回動可能である、請求項２ないし４のいずれかに記載のＬＥＤ照明装置。
【請求項６】
前記可動部は、弾性部材および該弾性部材の弾性力が近接状態をとるように付勢されたアーム部を有する、請求項５に記載のＬＥＤ照明装置。
【請求項７】
前記アーム部は、前記固定部に係合する係合部を有する、請求項６に記載のＬＥＤ照明装置。
【請求項８】
前記電源部は、前記第２方向において前記支持体と前記ＬＥＤユニットとの間に配置されている、請求項１ないし７のいずれかに記載のＬＥＤ照明装置。
【請求項９】
前記電源部は、前記ＬＥＤユニットに取り付けられている、請求項８に記載のＬＥＤ照明装置。
【請求項１０】
前記第１方向において前記電源部と前記給電ケーブル導入部との間に配置され且つ前記支持体に取り付けられるとともに前記給電ケーブルが接続される端子台と、
前記端子台に接続され且つ前記給電ケーブルと導通する第１中継ケーブルと、
前記第１中継ケーブルの先端に取り付けられた第１中継コネクタと、を備える、請求項９に記載のＬＥＤ照明装置。
【請求項１１】
前記近接状態において、前記給電ケーブルのうち前記給電ケーブル導入部から前記端子台に至る部分は、そのすべてが前記第１方向において前記給電ケーブル導入部と前記端子台との間に位置する、請求項１０に記載のＬＥＤ照明装置。
【請求項１２】
前記近接状態において、前記第１中継ケーブルは、そのすべてが前記第１方向において前記端子台と前記電源部との間に位置する、請求項１１に記載のＬＥＤ照明装置。
【請求項１３】
前記電源部に接続された第２中継ケーブルと、
前記第２中継ケーブルの先端に取り付けられ且つ前記近接状態において前記第１中継コネクタに接続された第２中継コネクタと、を備える、請求項１０ないし１２のいずれかに記載のＬＥＤ照明装置。
【請求項１４】
前記近接状態において、前記第２中継ケーブルは、そのすべてが前記第１方向において前記端子台と前記電源部との間に位置する、請求項１３に記載のＬＥＤ照明装置。
【請求項１５】
前記近接状態において、前記第２中継ケーブルは、そのすべてが前記第１方向において前記第１中継ケーブルと前記電源部との間に位置する、請求項１４に記載のＬＥＤ照明装置。
【請求項１６】
前記電源部に接続され且つ前記複数のＬＥＤチップを点灯させる電力を流すための第３ケーブルを備える、請求項１３ないし１５のいずれかに記載のＬＥＤ照明装置。
【請求項１７】
前記第３ケーブルは、そのすべてが前記第１方向において前記電源部に対して前記第１取付手段側に位置する、請求項１６に記載のＬＥＤ照明装置。
【請求項１８】
前記電源部は、前記支持体に取り付けられている、請求項８に記載のＬＥＤ照明装置。
【請求項１９】
前記第１方向において前記電源部と前記給電ケーブル導入部との間に配置され且つ前記支持体に取り付けられるとともに前記給電ケーブルが接続された端子台と、
前記端子台および前記電源部に接続され且つ前記給電ケーブルと導通する第１中継ケーブルと、を備える、請求項１８に記載のＬＥＤ照明装置。
【請求項２０】
前記近接状態において、前記給電ケーブルのうち前記給電ケーブル導入部から前記端子台に至る部分は、そのすべてが前記第１方向において前記給電ケーブル導入部と前記端子台との間に位置する、請求項１９に記載のＬＥＤ照明装置。
【請求項２１】
前記近接状態において、前記第１中継ケーブルは、そのすべてが前記第１方向において前記端子台と前記電源部との間に位置する、請求項２０に記載のＬＥＤ照明装置。
【請求項２２】
前記電源部に接続された第２中継ケーブルと、
前記第２中継ケーブルの先端に取り付けられた第２中継コネクタと、を備える、請求項１９ないし２１のいずれかに記載のＬＥＤ照明装置。
【請求項２３】
前記近接状態において、前記第２中継ケーブルは、そのすべてが前記第１方向において前記電源部と前記第１取付手段との間に位置する、請求項２２に記載のＬＥＤ照明装置。
【請求項２４】
前記近接状態において前記第２中継コネクタに接続された第３コネクタと、
先端に前記第３コネクタが取り付けられ且つ前記複数のＬＥＤチップを点灯させる電力を流すための第３ケーブルと、を備える、請求項２２または２３に記載のＬＥＤ照明装置。
【請求項２５】
前記近接状態において、前記第３ケーブルは、そのすべてが前記第１方向において前記電源部に対して前記第１取付手段側に位置する、請求項２４に記載のＬＥＤ照明装置。
【請求項２６】
前記近接状態において、前記第３ケーブルは、そのすべてが前記第１方向において前記第２中継ケーブルに対して前記第１取付手段側に位置する、請求項２５に記載のＬＥＤ照明装置。
【請求項２７】
前記ＬＥＤユニットは、前記複数のＬＥＤチップが搭載されたＬＥＤ基板を有する、請求項１ないし２６のいずれかに記載のＬＥＤ照明装置。
【請求項２８】
前記複数のＬＥＤチップは、前記第２方向において前記ＬＥＤ基板を挟んで前記電源部とは反対側に位置する、請求項２７に記載のＬＥＤ照明装置。
【請求項２９】
前記ＬＥＤ基板は、前記第１方向を長手方向とする長矩形状である、請求項２８に記載のＬＥＤ照明装置。
【請求項３０】
前記複数のＬＥＤチップは、前記第１方向に沿って配列されている、請求項２９に記載のＬＥＤ照明装置。
【請求項３１】
前記ＬＥＤユニットは、前記ＬＥＤチップを覆い且つ前記ＬＥＤチップからの光を透過させるカバーを有する、請求項２７ないし３０のいずれかに記載のＬＥＤ照明装置。
【請求項３２】
前記カバーは、前記ＬＥＤチップからの光を拡散させつつ透過させる、請求項３１に記載のＬＥＤ照明装置。
【請求項３３】
前記カバーは、前記第２方向において前記複数のＬＥＤチップを挟んで前記ＬＥＤ基板とは反対側に位置する、請求項３１または３２に記載のＬＥＤ照明装置。
【請求項３４】
前記支持体は、前記第２方向において前記複数のＬＥＤチップに対して前記電源部が位置する側に凹み且つ前記ＬＥＤユニットの一部を収容する溝部を有する、請求項１ないし３３のいずれかに記載のＬＥＤ照明装置。
【請求項３５】
前記支持体は、前記溝部に対して前記第１方向および前記第２方向に直角である第３方向両側に位置し且つ前記第３方向に対して傾斜する一対の斜面部を有する、請求項３４に記載のＬＥＤ照明装置。
【発明の詳細な説明】
【技術分野】
【０００１】
本発明は、ＬＥＤ照明装置に関する。
【背景技術】
【０００２】
特許文献１には、本体１に対して電源ボックス２４を取り付ける場合に、電源ボックス２４の両端部に取り付けたバネ３０を利用した照明装置１０が開示されている。
【先行技術文献】
【特許文献】
【０００３】
【特許文献１】特許５６０３４７３号公報
【発明の概要】
【発明が解決しようとする課題】
【０００４】
特許文献１に開示の照明装置１０においては、例えばその長さをより伸長させようとした場合には、天井等へ設置作業が難化することが想定される。
【０００５】
本発明は、上記した事情のもとで考え出されたものであって、照明装置の設置や交換の作業の難易度の上昇を抑制できるＬＥＤ照明装置を提供することをその課題とする。
【課題を解決するための手段】
【０００６】
本発明によって提供されるＬＥＤ照明装置は、複数のＬＥＤチップが搭載されており、第１方向に沿って延びる細長状のＬＥＤユニットと、前記第１方向に対して直角である第２方向において前記ＬＥＤユニットを支持する支持体と、前記複数のＬＥＤチップを点灯させる電力を供給する電源部と、各々が、前記支持体に対して前記ＬＥＤユニットが前記第２方向において所定距離離間する離間状態、前記支持体に対して前記ＬＥＤユニットが前記第２方向において前記所定距離よりも近接する近接状態、および前記支持体から前記ＬＥＤユニットが離脱する離脱状態をとらせる、３つの取付手段と、を備えており、前記３つの取付手段は、前記第１方向において離間して配置された第１取付手段および第２取付手段と、前記第１方向において前記第１取付手段および前記第２取付手段の間に配置された第３取付手段と、を含み、前記支持体は、取付対象部位に設けられた給電ケーブルを前記第２方向に挿通可能にさせるとともに、前記第１方向において前記第１取付手段と前記第３取付手段との間に設けられた給電ケーブル導入部を有しており、前記電源部は、前記第１方向において前記第１取付手段と前記給電ケーブル導入部との間に配置されていることを特徴としている。
【０００７】
本発明の好ましい実施の形態においては、前記取付手段は、前記近接状態および前記離間状態において互いに異なる姿勢をとる可動部と、前記近接状態および前記離間状態において前記可動部と係合し且つ前記離脱状態において前記可動部との係合状態が解除される固定部と、を有する。
【０００８】
本発明の好ましい実施の形態においては、前記可動部は、前記支持体に取り付けられており、前記固定部は、前記ＬＥＤユニットに取り付けられている。
【０００９】
本発明の好ましい実施の形態においては、前記可動部は、前記ＬＥＤユニットに取り付けられており、前記固定部は、前記支持体に取り付けられている。
【００１０】
本発明の好ましい実施の形態においては、前記可動部は、前記第１方向および前記第２方向に対して直角である第３方向周りに回動可能である。
【００１１】
本発明の好ましい実施の形態においては、前記可動部は、弾性部材および該弾性部材の弾性力が近接状態をとるように付勢されたアーム部を有する。
【００１２】
本発明の好ましい実施の形態においては、前記アーム部は、前記固定部に係合する係合部を有する。
【００１３】
本発明の好ましい実施の形態においては、前記電源部は、前記第２方向において前記支持体と前記ＬＥＤユニットとの間に配置されている。
【００１４】
本発明の好ましい実施の形態においては、前記電源部は、前記ＬＥＤユニットに取り付けられている。
【００１５】
本発明の好ましい実施の形態においては、前記第１方向において前記電源部と前記給電ケーブル導入部との間に配置され且つ前記支持体に取り付けられるとともに前記給電ケーブルが接続される端子台と、前記端子台に接続され且つ前記給電ケーブルと導通する第１中継ケーブルと、前記第１中継ケーブルの先端に取り付けられた第１中継コネクタと、を備える。
【００１６】
本発明の好ましい実施の形態においては、前記近接状態において、前記給電ケーブルのうち前記給電ケーブル導入部から前記端子台に至る部分は、そのすべてが前記第１方向において前記給電ケーブル導入部と前記端子台との間に位置する。
【００１７】
本発明の好ましい実施の形態においては、前記近接状態において、前記第１中継ケーブルは、そのすべてが前記第１方向において前記端子台と前記電源部との間に位置する。
【００１８】
本発明の好ましい実施の形態においては、前記電源部に接続された第２中継ケーブルと、前記第２中継ケーブルの先端に取り付けられ且つ前記近接状態において前記第１中継コネクタに接続された第２中継コネクタと、を備える。
【００１９】
本発明の好ましい実施の形態においては、前記近接状態において、前記第２中継ケーブルは、そのすべてが前記第１方向において前記端子台と前記電源部との間に位置する。
【００２０】
本発明の好ましい実施の形態においては、前記近接状態において、前記第２中継ケーブルは、そのすべてが前記第１方向において前記第１中継ケーブルと前記電源部との間に位置する。
【００２１】
本発明の好ましい実施の形態においては、前記電源部に接続され且つ前記複数のＬＥＤチップを点灯させる電力を流すための第３ケーブルを備える。
【００２２】
本発明の好ましい実施の形態においては、前記第３ケーブルは、そのすべてが前記第１方向において前記電源部に対して前記第１取付手段側に位置する。
【００２３】
本発明の好ましい実施の形態においては、前記電源部は、前記支持体に取り付けられている。
【００２４】
本発明の好ましい実施の形態においては、前記第１方向において前記電源部と前記給電ケーブル導入部との間に配置され且つ前記支持体に取り付けられるとともに前記給電ケーブルが接続される端子台と、前記端子台および前記電源部に接続され且つ前記給電ケーブルと導通する第１中継ケーブルと、を備える。
【００２５】
本発明の好ましい実施の形態においては、前記近接状態において、前記給電ケーブルのうち前記給電ケーブル導入部から前記端子台に至る部分は、そのすべてが前記第１方向において前記給電ケーブル導入部と前記端子台との間に位置する。
【００２６】
本発明の好ましい実施の形態においては、前記近接状態において、前記第１中継ケーブルは、そのすべてが前記第１方向において前記端子台と前記電源部との間に位置する。
【００２７】
本発明の好ましい実施の形態においては、前記電源部に接続された第２中継ケーブルと、前記第２中継ケーブルの先端に取り付けられた第２中継コネクタと、を備える。
【００２８】
本発明の好ましい実施の形態においては、前記近接状態において、前記第２中継ケーブルは、そのすべてが前記第１方向において前記電源部と前記第１取付手段との間に位置する。
【００２９】
本発明の好ましい実施の形態においては、前記近接状態において前記第２中継コネクタに接続された第３コネクタと、先端に前記第３コネクタが取り付けられ且つ前記複数のＬＥＤチップを点灯させる電力を流すための第３ケーブルと、を備える。
【００３０】
本発明の好ましい実施の形態においては、前記近接状態において、前記第３ケーブルは、そのすべてが前記第１方向において前記電源部に対して前記第１取付手段側に位置する。
【００３１】
本発明の好ましい実施の形態においては、前記近接状態において、前記第３ケーブルは、そのすべてが前記第１方向において前記第２中継ケーブルに対して前記第１取付手段側に位置する。
【００３２】
本発明の好ましい実施の形態においては、前記ＬＥＤユニットは、前記複数のＬＥＤチップが搭載されたＬＥＤ基板を有する。
【００３３】
本発明の好ましい実施の形態においては、前記複数のＬＥＤチップは、前記第２方向において前記ＬＥＤ基板を挟んで前記電源部とは反対側に位置する。
【００３４】
本発明の好ましい実施の形態においては、前記ＬＥＤ基板は、前記第１方向を長手方向とする長矩形状である。
【００３５】
本発明の好ましい実施の形態においては、前記複数のＬＥＤチップは、前記第１方向に沿って配列されている。
【００３６】
本発明の好ましい実施の形態においては、前記ＬＥＤユニットは、前記ＬＥＤチップを覆い且つ前記ＬＥＤチップからの光を透過させるカバーを有する。
【００３７】
本発明の好ましい実施の形態においては、前記カバーは、前記ＬＥＤチップからの光を拡散させつつ透過させる。
【００３８】
本発明の好ましい実施の形態においては、前記カバーは、前記第２方向において前記複数のＬＥＤチップを挟んで前記ＬＥＤ基板とは反対側に位置する。
【００３９】
本発明の好ましい実施の形態においては、前記支持体は、前記第２方向において前記複数のＬＥＤチップに対して前記電源部が位置する側に凹み且つ前記ＬＥＤユニットの一部を収容する溝部を有する。
【００４０】
本発明の好ましい実施の形態においては、前記支持体は、前記溝部に対して前記第１方向および前記第２方向に直角である第３方向両側に位置し且つ前記第３方向に対して傾斜する一対の斜面部を有する。
【発明の効果】
【００４１】
本発明によれば、照明装置の設置や交換の作業の難易度の上昇を抑制できる。
【００４２】
本発明のその他の特徴および利点は、添付図面を参照して以下に行う詳細な説明によって、より明らかとなろう。
【図面の簡単な説明】
【００４３】
【図１】本発明の第１実施形態に基づくＬＥＤ照明装置を示す平面図である。
【図２】図１のＬＥＤ照明装置を示す要部平面図である。
【図３】図１のＬＥＤ照明装置を示す正面図である。
【図４】図１のＩＶ−ＩＶ線に沿う要部拡大断面図である。
【図５】図１のＩＶ−ＩＶ線に沿う要部拡大断面図である。
【図６】図１のＶＩ−ＶＩ線に沿う断面図である。
【図７】図５のＶＩＩ−ＶＩＩ線に沿う断面図である。
【図８】図１のＬＥＤ照明装置のＬＥＤユニットを示す要部平面図である。
【図９】図１のＬＥＤ照明装置のＬＥＤユニットを示す断面図である。
【図１０】図１のＬＥＤ照明装置の支持体を示す平面図である。
【図１１】図１のＬＥＤ照明装置の取付手段の可動部を示す斜視図である。
【図１２】図１のＬＥＤ照明装置の取付手段の可動部を示す平面図である。
【図１３】図１２のＸＩＩＩ−ＸＩＩＩ線に沿う断面図である。
【図１４】図１のＬＥＤ照明装置の取付手段の固定部を示す正面図である。
【図１５】図１のＬＥＤ照明装置のＬＥＤモジュールを示す断面図である。
【図１６】図１のＬＥＤ照明装置の離間状態を示す要部拡大断面図である。
【図１７】図１のＬＥＤ照明装置の離間状態を示す要部拡大断面図である。
【図１８】図１のＬＥＤ照明装置の離脱状態を示す要部拡大断面図である。
【図１９】図１のＬＥＤ照明装置の離脱状態を示す要部拡大断面図である。
【図２０】図１のＬＥＤ照明装置の取付手段の可動部の変形例を示す平面図である。
【図２１】図２０のＸＸＩ−ＸＸＩ線に沿う断面図である。
【図２２】図１のＬＥＤ照明装置の取付手段の可動部の他の変形例を示す平面図である。
【図２３】図１のＬＥＤ照明装置の取付手段の可動部の他の変形例を示す正面図である。
【図２４】本発明の第２実施形態に基づくＬＥＤ照明装置を示す要部断面図である。
【図２５】図２４のＬＥＤ照明装置の離間状態を示す要部断面図である。
【図２６】本発明の第３実施形態に基づくＬＥＤ照明装置を示す要部断面図である。
【図２７】図２６のＬＥＤ照明装置の離間状態を示す要部断面図である。
【図２８】本発明の第４実施形態に基づくＬＥＤ照明装置を示す断面図である。
【発明を実施するための形態】
【００４４】
以下、本発明の好ましい実施の形態につき、図面を参照して具体的に説明する。
【００４５】
図１〜図１０は、本発明の第１実施形態に基づくＬＥＤ照明装置を示している。本実施形態のＬＥＤ照明装置Ａ１は、支持体１、ＬＥＤユニット２、電源部５および３つの取付手段６Ａ，６Ｂ，６Ｃを備えている。ＬＥＤ照明装置Ａ１は、たとえば天井８に取り付けられることにより、室内照明に用いられる。ＬＥＤ照明装置Ａ１のｘ方向長さは、たとえば２４４２ｍｍ程度であり、ｙ方向の幅は、たとえば２３０ｍｍ程度であり、ｚ方向の高さは、たとえば４９ｍｍ程度である。なお、ｘ方向は、本発明で言う第１方向に相当し、ｚ方向は、本発明で言う第２方向に相当し、ｙ方向は、本発明で言う第２方向に相当する。
【００４６】
図１は、ＬＥＤ照明装置Ａ１を示す平面図である。図２は、ＬＥＤ照明装置Ａ１を示す要部平面図である。図３は、ＬＥＤ照明装置Ａ１を示す正面図である。図４は、図１のＩＶ−ＩＶ線に沿う要部拡大断面図である。図５は、図１のＩＶ−ＩＶ線に沿う要部拡大断面図である。図６は、図１のＶＩ−ＶＩ線に沿う断面図である。図８は、ＬＥＤ照明装置Ａ１のＬＥＤユニット２を示す要部平面図である。図９は、ＬＥＤ照明装置Ａ１のＬＥＤユニット２を示す断面図である。図１０は、ＬＥＤ照明装置Ａ１の支持体１を示す平面図である。なお、これらの図においては、ＬＥＤユニット２は、後述する近接状態をとっている。
【００４７】
支持体１は、天井８などに取り付けられるものであり、且つＬＥＤユニット２を支持するものである。本実施形態の支持体１は、溝部１１、一対の斜面部１２および給電ケーブル導入部１３を有している。図２および図１０に示すように、ｚ方向視において、溝部１１を挟んで一対の斜面部１２がｙ方向に離間配置されている。図６および図７に示すように、溝部１１と一対の斜面部１２とは、ｚ方向における位置が略同じである。また、支持体１は、ｘ方向両端に端部１０１および端部１０２を有する。
【００４８】
支持体１は、たとえば金属板を折り曲げ加工等することによって形成されている。支持体１のｘ方向の長さは、たとえば２４４２ｍｍ程度であり、ｙ方向の幅はたとえば２３０ｍｍ程度である。
【００４９】
溝部１１は、ＬＥＤユニット２を収容する部位である。図４〜図７に示すように、溝部１１は、底部１１１および一対の側部１１２を有する。底部１１１は、ｘ方向を長手方向とし、ｚ方向を厚さ方向とする長矩形状部分である。一対の側部１１２は、ｙ方向において溝部１１を挟んで配置されており、各々が底部１１１のｙ方向両端に繋がっている。側部１１２は、ｘ方向を長手方向とし、ｙ方向を厚さ方向とする長矩形状部分である。溝部１１は、これにより、ｚ方向に凹んでいる。図６および図８に示すように、一対の斜面部１２は、溝部１１の一対の側部１１２のｚ方向端縁に繋がっている。また、一対の斜面部１２は、ｚ方向視において溝部１１を挟んで形成されており、言い換えればｙ方向外方に位置している。斜面部１２は、ｙ方向において溝部１１から離間するほど、図中ｚ方向において斜面部１２と側部１１２との境界に対して底部１１１が設けられた側に位置するように傾斜している。
【００５０】
給電ケーブル導入部１３は、支持体１の溝部１１をｚ方向に貫通する貫通孔によって構成されている。本実施形態においては、給電ケーブル導入部１３は、図５および図７に示すように、支持体１のｘ方向中央およびｙ方向中央に位置している。給電ケーブル導入部１３は、ＬＥＤ照明装置Ａ１の取付対象部位である天井８などに設けられた給電ケーブル８１を挿通させるものである。本実施形態においては、たとえば商用の３相交流電流が給電されることに対応して、３本の給電ケーブル８１が設けられているが、給電ケーブル８１の本数は特に限定されない。
【００５１】
ＬＥＤユニット２は、ＬＥＤ照明装置Ａ１の光源機能を発揮するユニットである。ＬＥＤユニット２は、ｚ方向において支持体１によって支持されている。また、ＬＥＤユニット２は、支持体１によってｘ方向およびｙ方向においても支持されている。ＬＥＤユニット２は、ｘ方向を長手方向とする細長状であり、本実施形態においては、支持体１の溝部１１に少なくともその一部が収容される。
【００５２】
ＬＥＤユニット２は、複数のＬＥＤモジュール２０、ＬＥＤ基板３５、一対の反射シート３９、支持部材３およびカバー４を備えている。本実施形態においては、後述する近接状態において、図６に示すように、支持部材３の一部、カバー４の一部および電源部５の一部が、支持体１の溝部１１に収容される。
【００５３】
図１５は、ＬＥＤモジュール２０の一例を示す拡大断面図である。ＬＥＤモジュール２０は、リード２１、ＬＥＤチップ２２、封止樹脂２３、およびリフレクタ２４を備えている。１対のリード２１は、たとえばＣｕ合金からなり、その一方にＬＥＤチップ２２が搭載されている。リード２１のうちＬＥＤチップ２２が搭載された面と反対側の面は、ＬＥＤモジュール２０を面実装するために用いられる実装端子とされている。
【００５４】
ＬＥＤチップ２２は、ＬＥＤモジュール２０の光源であり、たとえば青色光を発光可能とされている。封止樹脂２３は、ＬＥＤチップ２２を保護するためのものである。封止樹脂２３は、ＬＥＤチップ２２からの光によって励起されることにより黄色光を発する蛍光物質を含む透光樹脂を用いて形成されている。これにより、ＬＥＤモジュール２０は、白色を照射することができる。上記蛍光物質としては、黄色光を発するものに代えて、赤色光を発するものと緑色光を発するものとを混合して用いてもよい。リフレクタ２４はたとえば白色樹脂からなり、ＬＥＤチップ２２から側方に発された光を上方に反射するためのものである。
【００５５】
ＬＥＤ基板３５は、ｘ方向を長手方向、ｙ方向を幅方向とする長矩形状であり、たとえばセラミックスあるいはガラスエポキシ樹脂からなる。本実施形態においては、ＬＥＤ基板３５には、複数のＬＥＤモジュール２０がｘ方向に沿って一列に搭載されている。なお、複数のＬＥＤモジュール２０は、ｘ方向に沿って複数列に配置されていてもよい。また、複数のＬＥＤモジュール２０が複数列に配置されている場合、ｙ方向視において隣接する列のＬＥＤモジュール２０が交互に配置されていてもよい。
【００５６】
一対の反射シート３９は、各々がＬＥＤ基板３５よりも反射率が高い材質からなり、ｘ方向を長手方向とする帯状のシートである。一対の反射シート３９は、複数のＬＥＤモジュール２０を挟んでｙ方向に離間配置されており、ＬＥＤ基板３５のｙ方向両端側部分を覆っている。
【００５７】
支持部材３は、ＬＥＤ基板３５および一対の反射シート３９を支持している。支持部材３は、ｘ方向に延びている。また、支持部材３は、ｘ方向に対して直角である断面形状が一定である。すなわち、支持部材３の断面形状をなす各部位の大きさおよび相対的ない落ち関係が、支持部材３のいずれの断面においても一定である。本実施形態においては、支持部材３は、金属板を折り曲げ加工することによって形成されている。本実施形態においては、ＬＥＤ基板３５および一対の反射シート３９は、複数の固定ピン３５１によって支持部材３に取り付けられている。
【００５８】
支持部材３は、ｙ方向寸法およびｚ方向寸法よりもｘ方向寸法が長い細長形状である。支持部材３は、支持板部３１および一対の側板部３２を有している。支持板部３１は、ｚ方向視において、ｘ方向を長手方向、ｙ方向を幅方向とする帯板状であり、ＬＥＤ基板３５を支持する部位である。一対の側板部３２は、ｘ方向視において支持板部３１のｙ方向両側端からｚ方向において支持板部３１のうちＬＥＤ基板３５が搭載された面とは反対側の面が向く方向に延出している。側板部３２のｚ方向端部は、折り返されている。
【００５９】
カバー４は、ＬＥＤモジュール２０のＬＥＤチップ２２からの光を透過させる。また、本実施形態においては、カバー４は、ＬＥＤモジュール２０のＬＥＤチップ２２からの光を拡散させつつ透過させる。より具体的には、カバー４は、乳白色の半透明の樹脂からなる。カバー４は、ｘ方向に対して直角である断面形状が一定である。また、本実施形態においては、カバー４は、ｚ方向視において支持部材３よりも大である。
【００６０】
図示された例においては、カバー４は、膨出部４１および一対の係合部４２を有する。膨出部４１は、ｚ方向において支持体１とは反対側に膨出している。一対の係合部４２は、支持部材３の一対の側板部３２と係合する部位である。係合部４２は、たとえば膨出部４１からｚ方向図中上方に起立した部位の先端部分が折り返された形状とされている。
【００６１】
電源部５は、たとえば交流電力を複数のＬＥＤモジュール２０のＬＥＤチップ２２を発光させるのに適した直流電力に変換する機能を果たすものである。本実施形態においては、電源部５は、ＬＥＤユニット２に取り付けられている。より具体的には、電源部５は、図９に示すように、ｙ方向において支持部材３の一対の側板部３２の間に配置されている。また、電源部５は、支持板部３１に対してｚ方向においてＬＥＤ基板３５とは反対側に固定されている。また、電源部５は、ｚ方向視において、支持板部３１と一対の側板部３２に囲まれた空間にその一部が配置されている。また、電源部５は、図２および図１０に示すように、支持部材３のｘ方向における端部１０１側の一端寄りに配置されている。また、図１０に示すように、電源部５は、ｘ方向において給電ケーブル導入部１３よりも支持体１および支持部材３のｘ方向における端部１０１側の一端寄りに配置されている。電源部５は、接続部５１および接続部５２を有する。接続部５１は、ｘ方向において給電ケーブル導入部１３が位置する側からケーブルが接続される部位である。接続部５２は、ｘ方向において、接続部５１とは反対側からケーブルが接続される部位である。
【００６２】
３つの取付手段６Ａ，６Ｂ，６Ｃは、支持体１に対してＬＥＤユニット２を脱着可能に固定するとともに、ＬＥＤユニット２を支持体１に対して意図した距離をおいて離間させた状態を維持することができるものである。かかる意図により、３つの取付手段６Ａ，６Ｂ，６Ｃは、ＬＥＤユニット２が支持体１に対してｚ方向において所定距離離間する離間状態と、ＬＥＤユニット２が支持体１に対してｚ方向において前記所定距離よりも近接する近接状態と、ＬＥＤユニット２が支持体１から離脱する離脱状態と、をとらせる。以降の説明においては、３つの取付手段６Ａ，６Ｂ，６Ｃをそれぞれ、第１取付手段６Ａ、第２取付手段６Ｂおよび第３取付手段６Ｃと称する。本実施形態においては、第１取付手段６Ａ、第２取付手段６Ｂおよび第３取付手段６Ｃは、大量供給によるコストの低減化の観点から、互いに同じ構造とすることが好ましい。
【００６３】
図３、図４および図１０に示すように、第１取付手段６Ａと第２取付手段６Ｂとは、ｘ方向において離間配置されている。第１取付手段６Ａは、ｘ方向において支持体１の端部１０１側に配置されている。第２取付手段６Ｂは、ｘ方向において支持体１の端部１０２側に配置されている。第３取付手段６Ｃは、ｘ方向において第１取付手段６Ａと第２取付手段６Ｂとの間に位置している。また、給電ケーブル導入部１３は、ｘ方向において第１取付手段６Ａと第３取付手段６Ｃとの間に位置している。第１取付手段６Ａは、ｘ方向において給電ケーブル導入部１３よりも支持体１の端部１０１側に配置されている。第２取付手段６Ｂおよび第３取付手段６Ｃは、ｘ方向において給電ケーブル導入部１３よりも支持体１の端部１０２側に配置されている。電源部５は、ｘ方向において第１取付手段６Ａと給電ケーブル導入部１３との間に位置している。ｘ方向における給電ケーブル導入部１３と電源部５との間には、取付手段は設けられていない。また、ｘ方向における給電ケーブル導入部１３と第３取付手段６Ｃとの間には、取付手段は設けられていない。また、ｘ方向における第２取付手段６Ｂと第３取付手段６Ｃとの間には、取付手段は設けられていない。また、ｚ方向において、第１取付手段６Ａ、第２取付手段６Ｂおよび第３取付手段６Ｃは、いずれも支持体１とＬＥＤユニット２との間に配置されている。
【００６４】
第１取付手段６Ａ、第２取付手段６Ｂおよび第３取付手段６Ｃは、それぞれ可動部６０１および固定部６０２を有する。可動部６０１は、近接状態および離間状態において互いに異なる姿勢をとる。固定部６０２は、可動部６０１との関係において近接状態と離間状態とに対応する係合状態と、離脱状態に対応する係合解除状態とを実現する。本実施形態においては、第１取付手段６Ａ、第２取付手段６Ｂおよび第３取付手段６Ｃの可動部６０１が支持体１の溝部１１の底部１１１に取り付けられており、第１取付手段６Ａ、第２取付手段６Ｂおよび第３取付手段６Ｃの固定部６０２がＬＥＤユニット２の支持部材３の支持板部３１に取り付けられている。なお、図示された例と異なり、第１取付手段６Ａ、第２取付手段６Ｂおよび第３取付手段６Ｃの可動部６０１のいずれかまたはすべてが、溝部１１の側部１１２等に取り付けられていてもよい。また、第１取付手段６Ａ、第２取付手段６Ｂおよび第３取付手段６Ｃの固定部６０２のいずれかまたはすべてが、支持部材３の支持板部３１以外の部位に取り付けられていてもよい。
【００６５】
図１１は、可動部６０１を示す斜視図である。図１２は、可動部６０１を示す平面図である。図１３は、図１２のＸＩＩＩ−ＸＩＩＩ線に沿う断面図である。
【００６６】
可動部６０１は、アーム部６１、捻じりバネ６２および固定部品６３を有する。
【００６７】
アーム部６１は、固定部品６３を介して、支持体１に開閉可能に取り付けられている。アーム部６１は、たとえば金属または樹脂からなる。金属材料の例としては、ステンレス鋼などの剛体としての金属、またはバネ鋼などの弾性挙動を顕著に示す金属が挙げられる。
【００６８】
図１１〜図１３は、アーム部６１が近接状態に対応する閉状態をとった状態を示している。
【００６９】
アーム部６１は、湾曲部６１１、係合部６１２、１対の側板部６１３および端部６１５を有する。湾曲部６１１は、いずれかの方向に膨出するように湾曲した部位であり、閉状態においてＬＥＤユニット２側に凸である円弧形状をなしている。係合部６１２は、アーム部６１の先端に設けられており、固定部６０２と係合する。図示された例においては、係合部６１２は、アーム部６１の先端部分が折られることによって形成されている。一対の側板部６１３は、湾曲部６１１の根元側に繋がっている。一対の側板部６１３の各々には、貫通孔６１４が設けられている。貫通孔６１４には、軸部材６６が挿通される。端部６１５は、アーム部６１の一端部分である。
【００７０】
捻じりバネ６２は、アーム部６１に対して閉方向に向かう弾性力を付与するものであり、本発明で言う弾性部材の一例である。捻じりバネ６２の一端は固定部品６３に作用力および反作用力を付与可能に接しまたは固定されており、他端はアーム部６１に作用力および反作用力を付与可能に接しまたは固定されている。捻じりバネ６２は、閉状態にあるアーム部６１に閉方向の弾性力を付与するように設定および配置されていることが好ましい。
【００７１】
固定部品６３は、アーム部６１を支持体１に対して取り付けるためのものであり、支持体１に固定されている。固定部品６３は、溝状部６３１および一対の貫通孔６３２を有する。溝状部６３１は、捻じりバネ６２の一端を収容している。一対の貫通孔６３２は、軸部材６６が挿通される。アーム部６１および固定部品６３の双方に軸部材６６が挿通されることにより、アーム部６１は、固定部品６３に対して回動可能に支持されている。また、固定部品６３には、貫通孔６３３が形成されている。固定部品６３を支持体１に固定するには、たとえばビス、リベットまたはボルトなどを貫通孔６３３に挿通し、これらを支持体１に固定する手法を採用できる。
【００７２】
固定部６０２は、ＬＥＤユニット２に固定されており、アーム部６１の係合部６１２と係合する部位である。図４および図１４に示すように、固定部６０２は、貫通孔６５１を有している。貫通孔６５１は、たとえば矩形状であり、アーム部６１が挿通されている。
【００７３】
本実施形態においては、アーム部６１は、固定部品６３に対してｙ方向周りに回動する。アーム部６１の端部６１５は、閉状態であるときに支持体１にｚ方向において最も近接し、開状態であるときにｚ方向において支持体１から最も離間する。
【００７４】
図１０に示すように、ｚ方向視において、第１取付手段６Ａの捻じりバネ６２と第３取付手段６Ｃのアーム部６１とは、互いに対向して配置されている。言い換えると、第１取付手段６Ａのアーム部６１と第３取付手段６Ｃの捻じりバネ６２とは、ｘ方向において互いに逆方向を向いて配置されている。また、ｚ方向視において、第２取付手段６Ｂの捻じりバネ６２と第３取付手段６Ｃの捻じりバネ６２とが互いに対向して配置されている。言い換えると、第２取付手段６Ｂのアーム部６１と第３取付手段６Ｃのアーム部６１とは、ｘ方向において互いに逆方向を向いて配置されている。
【００７５】
図５および図１０に示すように、ＬＥＤ照明装置Ａ１は、端子台７１、第１中継ケーブル７２、第２中継ケーブル７３、第１中継コネクタ７４、第２中継コネクタ７５および第３ケーブル７６を備える。なお、図５および図１０は、近接状態のＬＥＤ照明装置Ａ１を示している。
【００７６】
端子台７１は、接続されたケーブル同士を保持するとともに、互いに導通させる部品である。端子台７１は、支持体１の溝部１１の底部１１１に取り付けられており、ｘ方向において給電ケーブル導入部１３と電源部５との間に位置している。端子台７１は、接続部７１１および接続部７１２を有する。接続部７１１は、ｘ方向において給電ケーブル導入部１３が位置する側からケーブルが接続される部位である。接続部７１２は、ｘ方向において、接続部７１１とは反対側からケーブルが接続される部位である。本実施形態においては、接続部７１１には、３本の給電ケーブル８１が接続されている。給電ケーブル８１のうち給電ケーブル導入部１３から端子台７１に至る部分は、そのすべてがｘ方向において給電ケーブル導入部１３と端子台７１との間に位置することが好ましい。
【００７７】
第１中継ケーブル７２は、一端が端子台７１の接続部７１２に接続されている。端子台７１において３本の給電ケーブル８１と導通されることに対応して、本実施形態においては、３本の第１中継ケーブル７２が設けられている。３本の第１中継ケーブル７２の他端には、第１中継コネクタ７４が取り付けられている。近接状態において、第１中継ケーブル７２は、そのすべてがｘ方向において端子台７１と電源部５との間に位置することが好ましい。
【００７８】
第１中継コネクタ７４は、第２中継コネクタ７５と接続される。これにより、第１中継コネクタ７４に取り付けられたケーブルと第２中継コネクタ７５に取り付けられたケーブルとが導通される。本実施形態においては、第２中継コネクタ７５には、３本の第２中継ケーブル７３が取り付けられている。これにより、３本の第１中継ケーブル７２と３本の第２中継ケーブル７３とが導通している。本実施形態においては、２本の第２中継ケーブル７３が、電源部５の接続部５１に接続されている。もう１本の第２中継ケーブル７３は、たとえばＬＥＤユニット２の支持部材３にグランド接続されている。近接状態において、第２中継ケーブル７３は、そのすべてがｘ方向において端子台７１と電源部５との間に位置する。さらに、近接状態において、第２中継ケーブル７３は、そのすべてがｘ方向において第１中継ケーブル７２と電源部５との間に位置することが好ましい。
【００７９】
第３ケーブル７６は、その一端が電源部５の接続部５１２に接続されている。第３ケーブル７６は、電源部５から複数のＬＥＤモジュール２０（ＬＥＤチップ２２）へと供給される電力の導通経路である。本実施形態においては、ＬＥＤチップ２２に直流電力が供給されることに対応して、２本の第３ケーブル７６が設けられている。第３ケーブル７６は、そのすべてがｘ方向において電源部５に対して第１取付手段６Ａ側に位置する。また、２本の第３ケーブル７６は、ｚ方向視において第１取付手段６Ａを挟んでｙ方向に離間配置されている。図８に示すように、２本の第３ケーブル７６の他端は、ＬＥＤ基板３５に接続されている。支持部材３の支持板部３１には、２つのケーブル孔３１１が形成されている。２つのケーブル孔３１１は、各々が支持板部３１を貫通しており、２つの反射シート３９のｘ方向端部と支持板部３１のｘ方向端部との間に配置されている。また、２つのケーブル孔３１１は、ｙ方向に離間配置されている。２つの第３ケーブル７６は、２つのケーブル孔３１１に挿通されることにより、ｚ方向において支持板部３１よりも電源部５側の空間から支持板部３１よりもＬＥＤ基板３５側の空間に導かれている。
【００８０】
図４に示すように、近接状態のＬＥＤ照明装置Ａ１においては、可動部６０１のアーム部６１の根本側部分が固定部６０２の貫通孔６５１に当接している。この際、可動部６０１のアーム部６１の端部６１５と支持体１の溝部１１の底部１１１との距離は、距離Ｌとなっている。この状態から、ＬＥＤユニット２をｚ方向において支持体１から離間する方向、すなわちｚ方向図中下方に、捻じりバネ６２の弾性力による状態維持力を超える力で引っ張ると、第１取付手段６Ａ、第２取付手段６Ｂおよび第３取付手段６Ｃの可動部６０１のアーム部６１が回動する。これにより、ＬＥＤ照明装置Ａ１は、図１６および図１７に示す離間状態をとる。この際、可動部６０１のアーム部６１の端部６１５と支持体１の溝部１１の底部１１１との距離は、距離Ｌよりも大である距離Ｍとなっている。
【００８１】
離間状態においては、アーム部６１は、ｚ方向に沿った姿勢となっている。また、可動部６０１のアーム部６１の先端に位置する係合部６１２が固定部６０２の貫通孔６５１に係合している。このため、捻じりバネ６２による弾性力がアーム部６１を閉じる方向に作用しても、固定部６０２によりアーム部６１の回動が規制される。これにより、アーム部６１が図示された状態まで開かれると、第１取付手段６Ａ、第２取付手段６Ｂおよび第３取付手段６Ｃは、開状態が維持され、ＬＥＤ照明装置Ａ１の離間状態を維持する。また、これに加えて、ＬＥＤユニット２の自重が、第１取付手段６Ａ、第２取付手段６Ｂおよび第３取付手段６Ｃの開状態を維持すると補助する。この離間状態においては、第１中継コネクタ７４と第２中継コネクタ７５とを脱着することが可能である。
【００８２】
たとえば、離間状態において第１中継コネクタ７４と第２中継コネクタ７５とを離脱させ、第１取付手段６Ａ、第２取付手段６Ｂおよび第３取付手段６Ｃの可動部６０１と固定部６０２との係合を解除すると、図１８および図１９に示すようにＬＥＤ照明装置Ａ１は、離脱状態をとる。
【００８３】
次に、ＬＥＤ照明装置Ａ１の作用について説明する。
【００８４】
本実施形態によれば、第１取付手段６Ａ、第２取付手段６Ｂおよび第３取付手段６Ｃを備えることにより、ＬＥＤユニット２に近接状態、離間状態および離脱状態をとらせることができる。離間状態においては、支持体１とＬＥＤユニット２とを接続するケーブル等の脱着作業を行うことが可能である。また、第１取付手段６Ａ、第２取付手段６Ｂおよび第３取付手段６Ｃがｘ方向に配列されていることにより、ＬＥＤユニット２が不当に撓んでしまうことを抑制可能であり、ＬＥＤユニット２およびＬＥＤ照明装置Ａ１のｘ方向寸法を延長するのに好ましい。また、給電ケーブル導入部１３が、第１取付手段６Ａと第３取付手段６Ｃとの間に設けられており、電源部５が給電ケーブル導入部１３と第１取付手段６Ａとの間に設けられていることにより、第１取付手段６Ａ、第２取付手段６Ｂおよび第３取付手段６Ｃと電源部５や給電ケーブル８１等が干渉することを回避することができる。したがって、ＬＥＤ照明装置Ａ１によれば、ＬＥＤユニット２の設置や交換の作業を適切に行うことができる。
【００８５】
給電ケーブル導入部１３と電源部５との間に端子台７１が設けられている。これにより、給電ケーブル８１および第１中継ケーブル７２が、第１取付手段６Ａ、第２取付手段６Ｂおよび第３取付手段６Ｃと干渉することを抑制することができる。近接状態において、給電ケーブル８１のうち給電ケーブル導入部１３から端子台７１に至る部分のすべてが、ｘ方向において給電ケーブル導入部１３と端子台７１との間に位置する構成は、給電ケーブル８１と第１取付手段６Ａ、第２取付手段６Ｂおよび第３取付手段６Ｃとの干渉を回避するのに好ましい。近接状態において、第１中継ケーブル７２のすべてが、ｘ方向において端子台７１と電源部５との間に位置する個性は、第１中継ケーブル７２と第１取付手段６Ａ、第２取付手段６Ｂおよび第３取付手段６Ｃとの干渉を回避するのに好ましい。
【００８６】
支持体１にＬＥＤユニット２を設置する際、第２取付手段６Ｂと第３取付手段６Ｃとを係合状態とすることによりＬＥＤユニット２を安定的に保持させた状態であり、且つ第１取付手段６Ａを離脱状態とした状態で、電源部５に電気的に接続された第２中継コネクタ７５と支持体１に取り付けられた端子台７１に接続された第１中継コネクタ７４とを接続する作業を円滑に行うことができる。また、第１中継コネクタ７４および第２中継コネクタ７５同士を接続した後に、第２取付手段６Ｂと第３取付手段６Ｃとの係合状態を維持しつつ、第１取付手段６Ａを係合状態とし、さらに第１取付手段６Ａ、第２取付手段６Ｂおよび第３取付手段６Ｃを閉状態とすることにより、ＬＥＤユニット２を近接状態とし、ＬＥＤユニット２の支持体１への取り付けを完了させる。この際、第１取付手段６Ａおよび第２取付手段６Ｂのアーム部６１が、支持体１の端部１０１および端部１０２と対向する構成であることから、より安定的にＬＥＤユニット２を支持体１に保持させた状態とすることができる。
【００８７】
近接状態において、第２中継ケーブル７３のすべてが、ｘ方向において端子台７１と電源部５との間に位置することにより、第２中継ケーブル７３と第１取付手段６Ａ、第２取付手段６Ｂおよび第３取付手段６Ｃとの干渉を抑制することが可能である。近接状態において、第２中継ケーブル７３のすべてが、ｘ方向において第１中継ケーブル７２と電源部５との間に位置する構成は、第１中継ケーブル７２および第２中継ケーブル７３と第１取付手段６Ａ、第２取付手段６Ｂおよび第３取付手段６Ｃとの干渉を回避するのに好ましい。
【００８８】
第３ケーブル７６のすべてがｘ方向において電源部５に対して第１取付手段６Ａ側に位置することにより、第３ケーブル７６と第２取付手段６Ｂおよび第３取付手段６Ｃとの干渉を抑制することができる。第３ケーブル７６がｙ方向において第１取付手段６Ａを避けた位置に設けられていることにより、第３ケーブル７６と第１取付手段６Ａとの干渉を回避することができる。
【００８９】
また、アーム部６１には、捻じりバネ６２から閉方向への弾性力が付与されるため、近接状態が安定的に維持される。この結果、通常の使用時には、ＬＥＤユニット２が支持体１に対して安定して固定される。一方、ＬＥＤユニット２の設置作業やＬＥＤユニット２のいずれかの構成要素を交換する作業などを行う際には、使用者が捻じりバネ６２の弾性力を上回る力でＬＥＤユニット２を支持体１から離間させようとすると、アーム部６１が開状態に向かい、図１６に示す開状態をとる。これにより、ＬＥＤユニット２は、支持体１から離間した離間状態をとる。この際、固定部６０２がアーム部６１と係合するため、ＬＥＤユニット２が、支持体１から誤って落下することなどを防止することができる。
【００９０】
反射シート３９を備えることにより、ＬＥＤモジュール２０（ＬＥＤチップ２２）から発せられた光のうちＬＥＤ基板３５に向かってきた光を反射しカバー４を透して出射することが可能である。これにより、ＬＥＤ照明装置Ａ１の高輝度化を図ることができる。
【００９１】
端子台７１を備えることにより、たとえば天井８から支持体１まで延在する給電ケーブル８１を、支持体１に安定的に固定することができる。
【００９２】
図２０〜図２８は、本発明の変形例および他の実施形態を示している。なお、これらの図において、上記実施形態と同一または類似の要素には、上記実施形態と同一の符号を付している。
【００９３】
図２０および図２１は、可動部６０１の変形例を示している。本変形例においては、可動部６０１のアーム部６１は、鋼線を折り曲げ加工することによって形成されている。アーム部６１は、ｚ方向視において、ｘ方向を長手方向とする細長環状を呈する。本変形例においても、アーム部６１は、湾曲部６１１および係合部６１２を有する。本変形例の可動部６０１は、上述した例の可動部６０１と同様の配置によって使用することができる。
【００９４】
図２２および図２３は、可動部６０１の他の変形例を示している。本変形例においては、可動部６０１のアーム部６１は、鋼線を折り曲げ加工することによって形成されており、ｚ方向視において折れ線状であり、環状を呈さない。図２３から理解されるように、本変形例においても、アーム部６１は、湾曲部６１１および係合部６１２を有する。本変形例の可動部６０１は、たとえば、支持体１の溝部１１においてｙ方向一方側に偏った配置とすることができる。これは、他の構成要素との干渉を回避するのに有利である。
【００９５】
図２４および図２５は、本発明の第２実施形態に基づくＬＥＤ照明装置を示している。本実施形態のＬＥＤ照明装置Ａ２は、第１取付手段６Ａ、第２取付手段６Ｂおよび第３取付手段６Ｃの取り付け形態が、上述したＬＥＤ照明装置Ａ１と異なっている。
【００９６】
本実施形態においては、第１取付手段６Ａ、第２取付手段６Ｂおよび第３取付手段６Ｃの可動部６０１がＬＥＤユニット２に取り付けられており、固定部６０２が支持体１に取り付けられている。図２４は、近接状態のＬＥＤ照明装置Ａ２を示している。図２５は、離間状態のＬＥＤ照明装置Ａ２を示している。図２４の近接状態においては、可動部６０１のアーム部６１の端部６１５とＬＥＤユニット２のＬＥＤモジュール２０（ＬＥＤチップ２２）との距離は、距離Ｌとなっている。図２５の離間状態においては、可動部６０１のアーム部６１の端部６１５とＬＥＤユニット２のＬＥＤモジュール２０（ＬＥＤチップ２２）との距離は、距離Ｌよりも大である距離Ｍとなっている。
【００９７】
このような実施形態によっても、ＬＥＤユニット２の設置や交換の作業を適切に行うことができる。
【００９８】
図２６および図２７は、本発明の第３実施形態に基づくＬＥＤ照明装置を示している。本実施形態のＬＥＤ照明装置Ａ３は、主に、電源部５の配置と第１中継ケーブル７２、第２中継ケーブル７３および第３ケーブル７６の接続形態とが、上述したＬＥＤ照明装置Ａ１およびＬＥＤ照明装置Ａ２と異なっている。ＬＥＤ照明装置Ａ３における第１取付手段６Ａ、第２取付手段６Ｂおよび第３取付手段６Ｃの取り付け形態は、ＬＥＤ照明装置Ａ１の取り付け形態およびＬＥＤ照明装置Ａ２の取り付け形態のいずれであってもよい。
【００９９】
本実施形態においては、電源部５は、支持体１の溝部１１に取り付けられている。ＬＥＤ照明装置Ａ１およびＬＥＤ照明装置Ａ２と同様に、電源部５は、ｘ方向において給電ケーブル導入部１３と第１取付手段６Ａとの間に位置している。第１中継ケーブル７２は、端子台７１の接続部７１２と電源部５の接続部５１とに接続されている。給電ケーブル８１のうち給電ケーブル導入部１３から端子台７１に至る部分は、そのすべてがｘ方向において給電ケーブル導入部１３と端子台７１との間に位置する。第１中継ケーブル７２は、ｘそのすべてが方向において端子台７１と電源部５との間に位置している。
【０１００】
第２中継ケーブル７３は、電源部５の接続部５２と第２中継コネクタ７５とに接続されている。近接状態において、第２中継ケーブル７３は、そのすべてがｘ方向において電源部５と第１取付手段６Ａとの間に位置する。また、ＬＥＤ照明装置Ａ２は、第３コネクタ７７を備える。第３コネクタ７７は、第２中継コネクタ７５に接続されている。第３コネクタ７７は、第３ケーブル７６の一端に取り付けられている。近接状態において、第３ケーブル７６は、そのすべてがｘ方向において電源部５に対して第１取付手段６Ａ側に位置する。また、近接状態において、第３ケーブル７６は、そのすべてがｘ方向において第２中継ケーブル７３に対して第１取付手段６Ａ側に位置する。
【０１０１】
図２７に示す離間状態において、第２中継コネクタ７５と第３コネクタ７７とを離脱させると、支持体１からＬＥＤユニット２との電気的接続を解除することができる。
【０１０２】
このような実施形態によっても、ＬＥＤユニット２の設置や交換の作業を適切に行うことができる。また、第２中継ケーブル７３および第３ケーブル７６と第１取付手段６Ａおよび第３取付手段６Ｃとが干渉することを回避することができる。
【０１０３】
図２８は、本発明の第４実施形態に基づくＬＥＤ照明装置を示している。本実施形態のＬＥＤ照明装置Ａ４は、支持体１の構成が上述したＬＥＤ照明装置Ａ１〜ＬＥＤ照明装置Ａ３と異なる。支持体１は、溝部１１のみを有しており、上述した一対の斜面部１２は有していない。このため、ＬＥＤ照明装置Ａ４のｙ方向寸法は、ＬＥＤ照明装置Ａ１〜ＬＥＤ照明装置Ａ３のｙ方向寸法よりも小である。なお、第１取付手段６Ａ、第２取付手段６Ｂおよび第３取付手段６Ｃの取り付け形態は、ＬＥＤ照明装置Ａ１の取り付け形態およびＬＥＤ照明装置Ａ２の取り付け形態のいずれであってもよい。また、電源部５は、ＬＥＤユニット２に取り付けられていてもよいし、ＬＥＤ照明装置Ａ３のように支持体１に取り付けられた構成であってもよい。
【０１０４】
ＬＥＤ照明装置Ａ４は、たとえば天井８に形成された収容部８０に収容される。これにより、ＬＥＤ照明装置Ａ４は、天井８に埋め込まれた態様で使用することが可能である。
【０１０５】
このような実施形態によっても、ＬＥＤユニット２の設置や交換の作業を適切に行うことができる。
【０１０６】
本発明に係るＬＥＤ照明装置は、上述した実施形態に限定されるものではない。本発明に係るＬＥＤ照明装置の各部の具体的な構成は、種々に設計変更自在である。
【符号の説明】
【０１０７】
Ａ１〜Ａ４：ＬＥＤ照明装置
１        ：支持体
２        ：ＬＥＤユニット
３        ：支持部材
４        ：カバー
５        ：電源部
６Ａ      ：第１取付手段
６Ｂ      ：第２取付手段
６Ｃ      ：第３取付手段
８        ：天井
１１      ：溝部
１２      ：斜面部
１３      ：給電ケーブル導入部
２０      ：ＬＥＤモジュール
２１      ：リード
２２      ：ＬＥＤチップ
２３      ：封止樹脂
２４      ：リフレクタ
３１      ：支持板部
３２      ：側板部
３５      ：ＬＥＤ基板
３９      ：反射シート
４１      ：膨出部
４２      ：係合部
５１      ：接続部
５２      ：接続部
６１      ：アーム部
６２      ：バネ
６３      ：固定部品
６５      ：係合部材
６６      ：軸部材
７１      ：端子台
７２      ：第１中継ケーブル
７３      ：第２中継ケーブル
７４      ：第１中継コネクタ
７５      ：第２中継コネクタ
７６      ：第３ケーブル
７７      ：第３コネクタ
８０      ：収容部
８１      ：給電ケーブル
１０１，１０２：端部
３１１    ：ケーブル孔
３５１    ：固定ピン
５１１，５１２：接続部
６０１    ：可動部
６０２    ：固定部
６１１    ：湾曲部
６１２    ：係合部
６１３    ：側板部
６１４    ：貫通孔
６１５    ：端部
６３１    ：溝状部
６３２、６３３：貫通孔
６５１    ：貫通孔
７１１，７１２：接続部
【図１】
2017134906.tif 000003
【図２】
2017134906.tif 000004
【図３】
2017134906.tif 000005
【図４】
2017134906.tif 000006
【図５】
2017134906.tif 000007
【図６】
2017134906.tif 000008
【図７】
2017134906.tif 000009
【図８】
2017134906.tif 000010
【図９】
2017134906.tif 000011
【図１０】
2017134906.tif 000012
【図１１】
2017134906.tif 000013
【図１２】
2017134906.tif 000014
【図１３】
2017134906.tif 000015
【図１４】
2017134906.tif 000016
【図１５】
2017134906.tif 000017
【図１６】
2017134906.tif 000018
【図１７】
2017134906.tif 000019
【図１８】
2017134906.tif 000020
【図１９】
2017134906.tif 000021
【図２０】
2017134906.tif 000022
【図２１】
2017134906.tif 000023
【図２２】
2017134906.tif 000024
【図２３】
2017134906.tif 000025
【図２４】
2017134906.tif 000026
【図２５】
2017134906.tif 000027
【図２６】
2017134906.tif 000028
【図２７】
2017134906.tif 000029
【図２８】
2017134906.tif 000030